(57)【特許請求の範囲】
【請求項１】
屋上などの人工地盤上に、芝や樹木などを植えて緑化するための工法において、人工地盤上に防根シートを敷設し、防根シート上に保水手段を設け、その保水手段を、棒状のスポンジを縦横に枠状に並べた枠体で形成してそのスポンジで囲まれた枠体内で保水すると共に、その枠体に所定量以上の水を排水するためのスリットを形成して構成し、保水手段上に流出防止シートを設け、流出防止シート上に、剛性のあるメッシュシートを設け、メッシュシート上に人工土を盛土し、その人工土上に芝生を植えて緑化することを特徴とする人工地盤緑化工法。
【請求項２】
屋上などの人工地盤上に、芝や樹木などを植えて緑化するための工法において、人工地盤上に防根シートを敷設し、防根シート上に保水手段を設け、保水手段上に流出防止シートを設け、流出防止シート上に、剛性のあるメッシュシートを設け、そのメッシュシートを、合成樹脂などで碁盤目状に形成すると共に、その各交点部の表裏面に突起を有して形成し、かつ各メッシュシート同士の目地が重なるように敷設して隣接するメッシュシートの突起同士を係合させて横ずれしないようにし、メッシュシート上に人工土を盛土し、その人工土上に芝生を植えて緑化することを特徴とする人工地盤緑化工法。
【請求項３】
植樹すべき位置のメッシュシート上に樹木を配置し、その樹木の根元を上部から覆うようにメッシュシートに幹を通す穴とその穴に幹を通す切り込みを形成した樹木固定用メッシュシートを形成すると共に、この樹木固定用メッシュシートで上記植樹すべき樹木の根元を覆い、かつ該樹木固定用メッシュシートと下方のメッシュシートとを幹の周りで、上下に連結して、樹木の根元を上下のメッシュシートで挟んで樹木を固定する請求項１または２記載の人工地盤緑化工法。
【請求項４】
植樹すべき位置のメッシュシート上に三角形や四角形に形成したアンカー枠を敷設すると共にそのアンカー枠とメッシュシートを連結し、そのアンカー枠内に、樹木を配置すると共にアンカー枠で支持された樹木支柱で幹を支持させ、樹木を固定する請求項１〜３いずれかに記載の人工地盤緑化工法。
【請求項５】
植樹すべき位置のメッシュシート上に、その植樹すべき位置を中心に、補強メッシュシートをＹ字状に、かつ中心部が相互に重なるように配置し、その中心部に樹木を設置すると共に各補強メッシュシートで係合支持された樹木支柱で樹木を支持する請求項１〜４いずれかに記載の人工地盤緑化工法。
【請求項６】
敷設したメッシュシート上の一部分に、一段高い植樹桝を形成すべく発泡スチロールからなる盛土部材を敷設し、その盛土部材の植樹すべき位置に上下に貫通した植樹穴を形成し、その植樹穴に植樹すると共に人工土を盛土し、盛土部材上に芝生を植える請求項１〜５いずれかに記載の人工地盤緑化工法。
【請求項７】
発泡スチロールからなる盛土部材の段部に臨んで池を形成するための水槽用切り込み穴を形成し、その段部に臨んだ水槽用切り込み穴の前面を透明なアクリル板で覆った請求項６記載の人工地盤緑化工法。
【請求項８】
屋上などの人工地盤上に、芝や樹木などを植えて緑化した人工地盤緑化構造において、人工地盤上に防根シートを敷設し、防根シート上に保水手段を設け、その保水手段を、棒状のスポンジを縦横に枠状に並べた枠体で形成してそのスポンジで囲まれた枠体内で保水すると共に、その枠体に所定量以上の水を排水するためのスリットを形成して構成し、保水手段上に流出防止シートを設け、流出防止シート上に、剛性のあるメッシュシートを設け、メッシュシート上に人工土を盛土し、その人工土上に芝生を植えて緑化したことを特徴とする人工地盤緑化構造。
【請求項９】
屋上などの人工地盤上に、芝や樹木などを植えて緑化した人工地盤緑化構造において、人工地盤上に防根シートを敷設し、防根シート上に保水手段を設け、保水手段上に流出防止シートを設け、流出防止シート上に、剛性のあるメッシュシートを設け、そのメッシュシートを、合成樹脂などで碁盤目状に形成すると共に、その各交点部の表裏面に突起を有して形成し、かつ各メッシュシート同士の目地が重なるように敷設して隣接するメッシュシートの突起同士を係合させて横ずれしないようにし、メッシュシート上に人工土を盛土し、その人工土上に芝生を植えて緑化したことを特徴とする人工地盤緑化構造。
【発明の詳細な説明】
【発明の属する技術分野】
【０００１】
本発明は、屋上などの人工地盤上に、芝や樹木などを植えて緑化するための工法及び人工地盤緑化構造に係り、特に、剛性のあるメッシュシートを使用して施工・改修を容易にした人工地盤緑化工法及び人工地盤緑化構造に関するものである。
【従来の技術】
【０００２】
近年、屋上やベランダなどの人工地盤を緑化する機運が急激に高まっている。都市化によって、地面が建物や舗装面で覆われると、雨水等は地中に浸透されずに排出される。地面が建物や舗装面で覆われていない都市部以外の場所では、地中に水分が保水されており、夏季の日中に地面が暖められると、地中に保水されている水分が蒸発し、いわゆる放熱によって地上付近の気温が下がる。
【０００３】
しかし、都市部では、地面が建物や舗装面で覆われており、地中に水分が保水されていないので、水分の蒸発による放熱が期待できなくなり、夏季の日中の地上付近の気温が上昇する。
【０００４】
また、建物のコンクリートや舗装面のアスファルトは熱容量が大きく、日中吸収した熱を夜間放出するため、都市の夏季の夜間温度を上昇させる。これはヒートアイランド現象と呼ばれ、熱帯夜日数増加の原因ともなっている。
【０００５】
従来の人工地盤緑化工法は、屋上などの人工地盤上に防根シートを敷設し、防根シート上に保水手段を設け、保水手段上に流出防止シートを設け、流出防止シート上に人工土を盛土し、その人工土上に芝生を植えて緑化する工法である。
【０００６】
この工法では、植物による蒸散作用や遮光により、ヒートアイランド現象を緩和している。また、植物は外気の影響を緩和するので、人工地盤の劣化も防いでいる。
【発明が解決しようとする課題】
【０００７】
しかしながら、従来の人工地盤緑化工法では、改修等で芝生を撤去する際、芝生を下方から支持するものがないので、芝生を撤去することが難しく、改修が面倒であるという問題がある。
【０００８】
また、保水手段に関しては、排水が考慮されていないので、必要以上の水が保水されたままになって芝生や樹木が根腐れする場合がある。
【０００９】
そこで、本発明の目的は、施工・改修が容易であり、保水・排水が確実に行える人工地盤緑化工法及び人工地盤緑化構造を提供することにある。
【課題を解決するための手段】
【００１０】
本発明は、上記目的を達成するために創案されたものであり、請求項１の発明は、屋上などの人工地盤上に、芝や樹木などを植えて緑化するための工法において、人工地盤上に防根シートを敷設し、防根シート上に保水手段を設け、その保水手段を、棒状のスポンジを縦横に枠状に並べた枠体で形成してそのスポンジで囲まれた枠体内で保水すると共に、その枠体に所定量以上の水を排水するためのスリットを形成して構成し、保水手段上に流出防止シートを設け、流出防止シート上に、剛性のあるメッシュシートを設け、メッシュシート上に人工土を盛土し、その人工土上に芝生を植えて緑化する人工地盤緑化工法である。
【００１１】
請求項２の発明は、屋上などの人工地盤上に、芝や樹木などを植えて緑化するための工法において、人工地盤上に防根シートを敷設し、防根シート上に保水手段を設け、保水手段上に流出防止シートを設け、流出防止シート上に、剛性のあるメッシュシートを設け、そのメッシュシートを、合成樹脂などで碁盤目状に形成すると共に、その各交点部の表裏面に突起を有して形成し、かつ各メッシュシート同士の目地が重なるように敷設して隣接するメッシュシートの突起同士を係合させて横ずれしないようにし、メッシュシート上に人工土を盛土し、その人工土上に芝生を植えて緑化する人工地盤緑化工法である。
【００１２】
請求項３の発明は、植樹すべき位置のメッシュシート上に樹木を配置し、その樹木の根元を上部から覆うようにメッシュシートに幹を通す穴とその穴に幹を通す切り込みを形成した樹木固定用メッシュシートを形成すると共に、この樹木固定用メッシュシートで上記植樹すべき樹木の根元を覆い、かつ該樹木固定用メッシュシートと下方のメッシュシートとを幹の周りで、上下に連結して、樹木の根元を上下のメッシュシートで挟んで樹木を固定する請求項１または２記載の人工地盤緑化工法である。
【００１３】
請求項４の発明は、植樹すべき位置のメッシュシート上に三角形や四角形に形成したアンカー枠を敷設すると共にそのアンカー枠とメッシュシートを連結し、そのアンカー枠内に、樹木を配置すると共にアンカー枠で支持された樹木支柱で幹を支持させ、樹木を固定する請求項１〜３いずれかに記載の人工地盤緑化工法である。
【００１４】
請求項５の発明は、植樹すべき位置のメッシュシート上に、その植樹すべき位置を中心に、補強メッシュシートをＹ字状に、かつ中心部が相互に重なるように配置し、その中心部に樹木を設置すると共に各補強メッシュシートで係合支持された樹木支柱で樹木を支持する請求項１〜４いずれかに記載の人工地盤緑化工法である。
【００１５】
請求項６の発明は、敷設したメッシュシート上の一部分に、一段高い植樹桝を形成すべく発泡スチロールからなる盛土部材を敷設し、その盛土部材の植樹すべき位置に上下に貫通した植樹穴を形成し、その植樹穴に植樹すると共に人工土を盛土し、盛土部材上に芝生を植える請求項１〜５いずれかに記載の人工地盤緑化工法である。
【００１６】
請求項７の発明は、発泡スチロールからなる盛土部材の段部に臨んで池を形成するための水槽用切り込み穴を形成し、その段部に臨んだ水槽用切り込み穴の前面を透明なアクリル板で覆った請求項６記載の人工地盤緑化工法である。
【００１７】
請求項８の発明は、屋上などの人工地盤上に、芝や樹木などを植えて緑化した人工地盤緑化構造において、人工地盤上に防根シートを敷設し、防根シート上に保水手段を設け、その保水手段を、棒状のスポンジを縦横に枠状に並べた枠体で形成してそのスポンジで囲まれた枠体内で保水すると共に、その枠体に所定量以上の水を排水するためのスリットを形成して構成し、保水手段上に流出防止シートを設け、流出防止シート上に、剛性のあるメッシュシートを設け、メッシュシート上に人工土を盛土し、その人工土上に芝生を植えて緑化した人工地盤緑化構造である。
【００１８】
請求項９の発明は、屋上などの人工地盤上に、芝や樹木などを植えて緑化した人工地盤緑化構造において、人工地盤上に防根シートを敷設し、防根シート上に保水手段を設け、保水手段上に流出防止シートを設け、流出防止シート上に、剛性のあるメッシュシートを設け、そのメッシュシートを、合成樹脂などで碁盤目状に形成すると共に、その各交点部の表裏面に突起を有して形成し、かつ各メッシュシート同士の目地が重なるように敷設して隣接するメッシュシートの突起同士を係合させて横ずれしないようにし、メッシュシート上に人工土を盛土し、その人工土上に芝生を植えて緑化した人工地盤緑化構造である。
【発明の実施の形態】
【００１９】
以下に、本発明の好適実施の形態を添付図面にしたがって説明する。
【００２０】
図１は、本発明の好適実施の形態である人工地盤緑化工法を適用した人工地盤緑化構造を示す概略図である。
【００２１】
図１に示すように、本発明の人工地盤緑化工法は、主として夏季に都市部で発生するヒートアイランド現象を緩和する目的でなされるものであり、屋上などの人工地盤１上に、芝や樹木などを植えて緑化するための工法である。
【００２２】
人工地盤１は、建物の最上部に設けられたスラブコンクリート２上に、防水層３を設け、その防水層３上に保護コンクリート４を設けたものである。保護コンクリート４の表面は、雨水などが人工地盤１に設けた排水ピット（図１では図示せず）から排水されるように適宜傾斜させてある。隣接する保護コンクリート４間には、伸縮目地５が設けられている。伸縮目地５は、外気の温度変化による保護コンクリート４の伸縮を吸収する継ぎ目であり、保護コンクリート４のひび割れを防止するものである。植物の根は、伸縮目地５から侵入して防水層３を破壊するおそれがあるので、防根対策は不可欠である。
【００２３】
以下、本実施の形態に係る人工地盤緑化工法及び人工地盤緑化構造を詳細に説明する。
【００２４】
まず、人工地盤１の保護コンクリート４上に、根の防水層３への侵入を防ぐ防根シート６を敷設する。各防根シート６同士は、重ね幅１５０ｍｍ以上で糊付けする。防根シート６としては、例えば、ポリエチレンと発泡ポリエチレンシートをラミネートしたものを使用しており、防水機能も有している。防根シート６の厚さは約２ｍｍである。
【００２５】
各防根シート６上には、保水手段７を設ける。保水手段７は、例えば、棒状のスポンジ７ａ，７ｂ…を縦横に枠状に並べた枠体で形成され、そのスポンジ７ａ，７ｂ…で囲まれた枠体内で保水すると共に、その枠体に所定量以上の水を排水するためのスリット８が形成されている。スリット８は、棒状のスポンジ７ａ，７ｂ…の長手方向に沿って形成してもよいし、短手方向に沿って形成してもよい。
【００２６】
棒状のスポンジ７ａ，７ｂ…は、例えば、断面が２０ｍｍ×２０ｍｍの正方形のものを使用している。スポンジ７ａ，７ｂ…の底面には粘着層９が設けられており、防根シート６に貼り付けることができるようになっている。枠体の一辺の長さＬは、約１０００ｍｍである。
【００２７】
保水手段７上には、流失防止シート１０を設ける。流失防止シート１０としては、例えば、不織布を用いている。流失防止シート１０は、この後盛土される人工土の流失を防ぐ共に、植物の根を一旦受け止めて防根シート６へのダメージを軽減する。流失防止シート１０の厚さは、約０．９ｍｍである。
【００２８】
流失防止シート１０上には、剛性のあるメッシュシート１１を設ける。メッシュシート１１は、例えば、合成樹脂などで碁盤目状に形成されており、流失防止シート１０上に、各メッシュシート１１同士の目地が重なるようにして敷設されている。各メッシュシート１１は、例えば、大きさが１０００ｍｍ×５００ｍｍの定型であり、目合が８×８、厚さが約２．８ｍｍである。
【００２９】
メッシュシート１１上には、人工土１２を盛土する。本実施の形態では、人工土１２に芝生１３を植えるので、盛土した人工土１２の厚さＤ1 は、約１０ｃｍである。人工土１２としては、例えば、顆粒状人工改良土を用いている。この顆粒状人工改良土は、有機質を含まない白色化成土壌であり、軽量で紙袋にて梱包されているため施工する場所を選ばない。白色粒状であるため施行時の清掃も容易である。また、土壌劣化がなく、植物に対しては計画的に化成肥料を施用すればよい。人工土１２の重さは、厚さが１０ｃｍの場合、約６０ｋｇ／ｍ2 である。  人工土１２上には、芝生１３を植える。芝生１３としては、例えば、厚さが２５ｍｍ、大きさが５００ｍｍ×１０００〜２０００ｍｍのロール芝を用いている。ロール状の芝を用いることにより、マウンド造形の施工性を向上させると共に、その自重で強風による人工土１２の飛散を防止する。芝生１３の重さは約２５ｋｇ／ｍ2 である。
【００３０】
以上の手順で本発明の人工地盤緑化工法を施工すると、図１に示した人工地盤緑化構造が完成する。この基本構造は、人工土１２の厚さを１０ｃｍとした場合、重さが約８５ｋｇ強／ｍ2 と軽量で、６０００円／ｍ2 という安価で実施することができる。
【００３１】
次に、メッシュシート１１をより詳細に説明する。
【００３２】
図２は、メッシュシート１１の平面図（ａ）、そのＡ−Ａ線断面図（ｂ）を示したものである。
【００３３】
図２に示すように、メッシュシート１１は、合成樹脂などからなり、棒状の縦部材２０と棒状の横部材２１で碁盤目状に形成されている。これら縦部材２０と横部材２１とで、略正方形状の空間部２２が区画形成されている。メッシュシート１１の縦部材２０と横部材２１の各交点部２３は、縦部材２０、横部材２１より幅広に形成されている。これら各交点部２３の表裏面には、丸く盛り上がったドーム状の突起２４ｕ，２４ｄが形成されている。
【００３４】
このメッシュシート１１は、流出防止シート１０上に、各メッシュシート１１同士の目地が重なるように敷設され、隣接するメッシュシート１１のドーム状の突起２４ｕ，２４ｄ同士が係合して、横ずれしないようにされている。
【００３５】
本発明の人工地盤緑化工法及び人工地盤緑化構造は、上述した手順で施行した後、改修等で芝生を撤去する際、剛性のあるメッシュシート１１により、芝生１３を下方から支持しつつ上方に持ち上げることができるので、芝生１３をメッシュシート１１と共に簡単に撤去することができる。この際、メッシュシート１１の空間部２２から人工土１２が下方に落ちる。これにより、施工・改修が容易になる。
【００３６】
また、保水手段７は、スポンジで囲まれた枠体内で必要な水を保水しつつ、スリット８から余剰な水を枠体外に排水するので、保水・排水を確実に行うことができる。余剰な水は、最終的に人工地盤１の排水ピットへ流れ、排水ピットから外部へ排出される。
【００３７】
以上の説明では、人工地盤上に芝を植えて緑化する工法を説明したが、以下図３〜図８により、人工地盤上に低中木を植えて緑化する工法を説明する。
【００３８】
第２の実施の形態を説明する。
【００３９】
図３は、本発明の第２の実施の形態である人工地盤緑化工法を適用した樹木の根元の断面図を示したものである。
【００４０】
まず、図１の人工地盤緑化構造と同様の手順で、人工地盤上に防根シートを敷設し、防根シート上に保水手段を設け、保水手段上に流出防止シートを設け、流出防止シート上に、剛性のあるメッシュシート１１を設ける。これは、以下に説明する他の実施の形態においても同様である。
【００４１】
次に、植樹すべき位置のメッシュシート１１上に樹木３０を配置する。ここで、樹木３０の根元３１を上部から覆うようにメッシュシートに幹３２を通す穴３３とその穴３３に幹３２を通す切り込みを形成した樹木固定用メッシュシート３４を用意する。この樹木固定用メッシュシート３４で樹木３０の根元３１を覆い、樹木固定用メッシュシート３４と下方のメッシュシート１１とを、幹３２の周りで、ベルト３５、３６などを用いて上下に連結すると、樹木３０の根元３１を上下のメッシュシート３４，１１で挟んで樹木３０を固定することができる。
【００４２】
このとき、幹３２に、穴３３周辺のメッシュシート３４をベルト３７などで固定したり、メッシュシート３４の切り込みが広がらないようにベルトなどで固定するとよい。また、植樹すべき位置のメッシュシート１１上に、３つの単管を組んで三角形に形成したアンカー枠３８を敷設し、そのアンカー枠３８内に樹木３０を配置してから樹木固定用メッシュシート３４で樹木３０の根元３１を覆ってもよい。この場合、アンカー枠３８と上下のメッシュシート３４，１１をベルトや紐などで固定するので、樹木３０を上下のメッシュシート３４，１１でより確実に固定することができる。
【００４３】
最後に、人工土１２を盛土して樹木３０を固定している部分を覆い、人工土１２に芝生１３を植えると図３に示した状態となる。樹木を植えた部分の人工土１２の厚さＤ2 は、約２０ｃｍである。
【００４４】
この第２の実施の形態は、人工地盤上に低中木の樹木を植えて緑化する際に特に有効である。メッシュシート３４，１１のみにより低中木を固定することができ、低中木を固定している部分は人工土１２で覆われて外からは見えないので、景観が向上するという利点がある。
【００４５】
第３の実施の形態を説明する。
【００４６】
図４は、本発明の第３の実施の形態である人工地盤緑化工法を適用した樹木の根元の断面図を示したものである。
【００４７】
図４に示すように、まず、植樹すべき位置のメッシュシート１１上に、単管を組んで三角形に形成したアンカー枠４０を敷設する。アンカー枠４０の各角部には、自在クランプ４１が設けられている。この自在クランプ４１には、樹木支柱４２が差し込まれる支柱受け４３が設けられている。アンカー枠４０とメッシュシート１１をベルトや紐などで連結し、そのアンカー枠４０内に、樹木４４を配置する。支柱受け４３に樹木支柱４２を差し込み、その樹木支柱４２で樹木４４の幹４５を三方向から支持すると、樹木４４を固定することができる。
【００４８】
第３の実施の形態では、メッシュシート１１を、樹木支柱４２を支えるアンカー枠４０を支持することに利用している。
【００４９】
図５は、図４に示したアンカー枠４０の平面図を示したものである。図５に示すように、アンカー枠４０は、樹木支柱等を支えるためのものであり、同じ長さの単管５０ａ〜ｃを組んで三角形に形成したものである。アンカー枠４０の各角部には、自在クランプ４１ａ〜ｃが設けられている。このアンカー枠４０は、植樹すべき位置のメッシュシート１１上に設けられ、その中央部に樹木４４が配置される。
【００５０】
また、図６に示すように、四角形に形成したアンカー枠６０を用いてもよい。このアンカー枠６０は、同じ長さの単管６１ａ，６１ｂを直継手６２ａで連結したものと、同じ長さの単管６１ｃ，６１ｄを直継手６２ｂで連結したものとを２本平行に並べ、単管６１ａの左端と単管６１ｃの左端を単管６３ａで組み、単管６１ｂの右端と単管６１ｄの右端を単管６３ｂで組んで四角形に形成したものである。このアンカー枠６０の各角部にも、自在クランプ６４ａ〜ｄが設けられている。このアンカー枠６０は、植樹すべき位置のメッシュシート１１上に設けられ、その枠内に樹木６５ａ，６５ｂ…が枠の長手方向に沿って配置される。
【００５１】
第４の実施の形態を説明する。
【００５２】
図７は、本発明の第４の実施の形態である人工地盤緑化工法を適用した樹木の根元の断面図を示したものである。
【００５３】
図７に示すように、まず、植樹すべき位置のメッシュシート１１上に、補強メッシュシート７０を設ける。補強メッシュシート７０には、樹木支柱７１を支えるアンカー７２が一体となって設けられている。アンカー７２は、補強メッシュシート７０の縦部材と横部材に一体となって設けられる平板状のアンカー金物７３と、アンカー金物７３から上方に突出した三角形状の突起板７４と、突起板７４の先端部に設けられ、樹木支柱７１が差し込まれる可動式の支柱受け７５とからなる。この補強メッシュシート７０で係合支持された樹木支柱７１で幹７６を支持させ、樹木７７を固定する。
【００５４】
図８は、図７に示した人工土１２を盛土する前の補強メッシュシート７０の平面図を示したものである。
【００５５】
図８に示すように、植樹すべき位置のメッシュシート１１上に、その植樹すべき位置を中心に、補強メッシュシート７０ａ〜ｃをＹ字状に、かつ中心部が相互に重なるように配置し、その中心部に樹木７７を設置すると共に各補強メッシュシート７０ａ〜ｃで係合支持された樹木支柱７１ａ〜ｃで樹木７７を支持する。
【００５６】
各補強メッシュシート７０ａ〜ｃは、メッシュシート１１と同様、合成樹脂などからなり、棒状の縦部材８０と棒状の横部材８１で碁盤目状に形成されている。各補強メッシュシート７０ａ〜ｃの縦部材８０と横部材８１の各交点部８２の表裏面には、丸く盛り上がったドーム状の突起が形成されている。各補強メッシュシート７０ａ〜ｃは、例えば、大きさが５００ｍｍ×１２００ｍｍの定型であり、目合が１８×１８、厚さが約５ｍｍである。
【００５７】
第４の実施の形態では、メッシュシート１１の表面側のドーム状の突起と、各補強メッシュシート７０ａ〜ｃの裏面側のドーム状の突起とが係合するので、各補強メッシュシート７０ａ〜ｃがメッシュシート１１に対して横ずれしない。さらに、各補強メッシュシート７０ａ〜ｃの相互に重ねられた部分では、ドーム状の突起同士が係合するので、幹７６を支持する樹木支柱７１が横ずれしないという効果がある。また、各補強メッシュシート７０ａ〜ｃは、メッシュシート１１と同様、上方には容易に取り外すことができる。
【００５８】
このように、本発明の人工地盤緑化工法及び人工地盤緑化構造は、剛性のあるメッシュシートを用いた点に特徴を有するものである。このメッシュシートにより、改修等で芝生を容易に撤去することができるだけでなく、樹木を固定することができ、樹木支柱を支えるアンカーの支持を行うこともできるため、施工・改修が容易になる。
【００５９】
次に、第５の実施の形態を図９および図１０で説明する。第５の実施の形態は、人工地盤上に高木を植えて緑化する工法である。
【００６０】
図９は、本発明の第５の実施の形態である人工地盤緑化工法を適用した人工地盤緑化構造としての屋上庭園の平面図を示し、図１０は、そのＢ−Ｂ線断面図を示したものである。
【００６１】
図９および図１０に示すように、屋上庭園９０は、人工地盤１上に本発明に係る人工地盤緑化工法を適用して緑化したものであり、屋上庭園９０を斜めに横切るレンガを積んだ壁９１を境にして、芝生１３と低中木９２などからなる低地部９３と、低地部９３より一段高く形成され、高木９４が植えられる植樹桝９５とからなる。人工地盤１には、余剰な水を外部に排出する排水ピット９６が複数設けられている。
【００６２】
低地部９３には、半円状の芝生１３、芝生１３の周りにレンガ平板９７が敷き詰められたレンガ舗装部９８、レンガ舗装部９８の周りに植えられた低中木９２などが設けられている。半円状の芝生１３は、図１で説明した基本構造と同様の手順で形成される。半円状の芝生１３には、例えば、切株９９などを配置するとよい。レンガ舗装部９８は、人工土１２を盛土した上に、隣接するレンガ平板同士をモルタルなどで固めて形成される。低中木９２は、例えば、図３で説明したように、低中木９２の根元を上下のメッシュシートで挟んで固定されている。
【００６３】
さて、低地部９３より一段高く形成される植樹桝９５は、まず、敷設したメッシュシート１１上の一部分に、発泡スチロールからなる盛土部材１００を敷設して形成されている。盛土部材１００の高木９４を植樹すべき位置に、上下に貫通した逆円錐台状の植樹穴１０１を形成する。植樹穴１０１に高木９４を植樹した後、高木９４の根元１０２を覆うようにして人工土１２を盛土する。盛土部材１００上には、芝生１０３を植える。低地部９３と植樹桝９５の高低差Ｈは、例えば、約６００ｍｍである。
【００６４】
芝生１０３は、発泡スチロールからなる盛土部材１００上で横ずれしないように、ヤシマット１０４付きのものを用いている。植樹桝９５に低中木９２を植える場合には、高木９４を植樹した植樹穴１０１に植樹する際、その高木９４の根元１０５の上部近傍に、低中木９２を配置して人工土１２を盛土する。
【００６５】
このように、敷設したメッシュシート１１上の一部分に、軽量な発泡スチロールからなる盛土部材１００を敷設して植樹桝９５を形成しているので、人工地盤１に重さの負担を与えることなく、人工地盤１上に高木９４を植えて緑化することができる。
【００６６】
また、植樹桝９５は、低地部９３より一段高く形成されているので、池を形成することもできる。この場合、まず、発泡スチロールからなる盛土部材１００の段部に臨んで池Ｐを形成するための水槽用切り込み穴１０６を形成する。水槽用切り込み穴１１６を形成した盛土部材１１０上に防水シート１０７を設ける。そして、段部に臨んだ水槽用切り込み穴１０６の前面を透明なアクリル板１０８で覆い、防水シート１０７とアクリル板１０８を接着する。水槽用切り込み穴１０６に、盛土部材１００の最上面が水面ＷＬと一致するように水を入れると、植樹桝１０５に池Ｐを形成できる。
【００６７】
この池Ｐは、段部に臨んだ水槽用切り込み穴１０６の前面が透明なアクリル板１０８で覆われているので、水中を泳ぐ魚ｆの姿が見えて屋上庭園９０の景観が向上するという利点がある。池Ｐの中や周囲に、ＦＲＰ擬岩１０９や流木１１０などを配置するとなおよい。
【発明の効果】
【００６８】
以上説明したことから明らかなように、本発明によれば次のごとき優れた効果を発揮する。
【００６９】
（１）施工・改修が容易である。
【００７０】
（２）保水・排水を確実に行うことができる。
【図面の簡単な説明】
【００７１】
【図１】本発明の好適実施の形態を示す概略図である。
【図２】図１に示したメッシュシートの平面図（ａ）、そのＡ−Ａ線断面図（ｂ）である。
【図３】本発明の第２の実施の形態を示す断面図である。
【図４】本発明の第３の実施の形態を示す断面図である。
【図５】アンカー枠の一例を示す平面図である。
【図６】アンカー枠の一例を示す平面図である。
【図７】本発明の第４の実施の形態を示す断面図である。
【図８】図７に示した補強メッシュシートの平面図である。
【図９】本発明の第５の実施の形態を示す平面図である。
【図１０】図９に示した屋上庭園のＢ−Ｂ線断面図である。
【符号の説明】
【００７２】
１  人工地盤
６  防根シート
７  保水手段
１０  流出防止シート
１２  人工土
１３  芝生
【図１】
0003610318.tif 000002
【図２】
0003610318.tif 000003
【図３】
0003610318.tif 000004
【図４】
0003610318.tif 000005
【図５】
0003610318.tif 000006
【図６】
0003610318.tif 000007
【図７】
0003610318.tif 000008
【図８】
0003610318.tif 000009
【図９】
0003610318.tif 000010
【図１０】
0003610318.tif 000011